【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
移動通信ネットワークにおける通信端末間の接続を制御する通信制御装置であって、
前記移動通信ネットワークに接続可能な通信端末が他の通信端末とともに構成するグループを特定するための一つまたは複数の公開識別情報を管理する手段と、
前記グループを構成する第１の通信端末から、相手ユーザあるいは相手通信端末に対する呼接続要求あるいはセッション接続要求を送信するように要求する発呼指示情報を受信し、該受信した発呼指示情報を前記グループを構成する複数の通信端末それぞれへの発呼指示情報に分割して送信する手段と、
を有することを特徴とする通信制御装置。
【請求項２】
前記通信制御装置は、前記グループを構成する複数の通信端末それぞれへの発呼指示情報を、前記第１の通信端末へ応答メッセージを送信し且つ前記第１の通信端末からの確認メッセージを受信した後に送信することを特徴とする請求項１に記載の通信制御装置。
【請求項３】
前記第１の通信端末からの発呼指示情報は、前記第１の通信端末から前記相手ユーザあるいは相手通信端末に対する呼接続要求あるいはセッション接続要求とともに送信され、
前記通信制御装置は、前記グループを構成する複数の通信端末それぞれへ発呼指示情報を送信し、前記第１の通信端末からの呼接続要求あるいはセッション接続要求を前記相手ユーザあるいは相手通信端末へ転送する手段を有することを特徴とする請求項１に記載の通信制御装置。
【請求項４】
前記発呼指示情報は、セッション確立のリクエストの宛先である相手ユーザもしくは相手通信端末を接続先として特定するための情報である公開識別子からなる宛先端末リストと、セッション確立のリクエストを送信する通信端末を特定するための情報である公開識別子とそれぞれの通信端末にどのような種別、属性のセッションを割り当てるかを示す情報を含む発呼端末リストとで構成され、
前記通信制御装置は、前記発呼端末リストが指定するそれぞれの公開識別子へ発呼指示情報を分割して送信する手段を有することを特徴とする請求項１に記載の通信制御装置。
【請求項５】
前記通信制御装置は、前記グループに対する制御論理を管理する手段と、
前記発呼端末リストに前記グループを指定する公開識別子が指定される場合、前記制御論理から、発呼指示情報を送信する通信端末を選択する手段と、
を有することを特徴とする請求項４に記載の通信制御装置。
【請求項６】
移動通信ネットワークにおける通信端末間の接続を制御する通信制御装置であって、
前記移動通信ネットワークに接続可能な通信端末が他の通信端末とともに構成するグループを特定するための一つまたは複数の公開識別情報を管理する手段と、
前記グループを構成する複数の通信端末と相手ユーザあるいは相手通信端末との間のセッション確立のためにアプリケーションデータの中継を行なう手段と、
前記グループを構成する複数の通信端末から、前記相手ユーザあるいは相手通信端末への呼接続要求あるいはセッション接続要求を受信し、前記相手ユーザあるいは相手通信端末に対し、前記複数の通信端末から前記相手ユーザあるいは相手通信端末への呼接続要求あるいはセッション接続要求のそれぞれに含まれるセッション種別情報を統合したセッション種別情報を含む呼接続要求あるいはセッション接続要求を送信する手段と、
を有することを特徴とする通信制御装置。
【請求項７】
前記相手ユーザあるいは相手通信端末への呼接続要求あるいはセッション接続要求は、セッション確立のリクエストを送信する通信端末を特定するための情報である公開識別子とそれぞれの通信端末にどのような種別、属性のセッションを割り当てるかを示す情報を含む発呼端末リストと、該発呼端末リストで指定された複数の通信端末からセッション確立のリクエストが同時に送信されることを示すセッション結合指示情報とを含み、
前記通信制御装置は、前記セッション結合指示情報に基づき、前記相手ユーザあるいは相手通信端末への呼接続要求あるいはセッション接続要求のそれぞれに含まれるセッション種別情報を統合したセッション種別情報を送信する手段を有することを特徴とする請求項６に記載の通信制御装置。
【請求項８】
前記通信制御装置は、前記グループを構成する第１の通信端末からセッション結合指示情報を受信し、前記第１の通信端末へ応答メッセージを送信し且つ前記第１の通信端末から確認メッセージを受信した後に、前記グループを構成する複数の通信端末それぞれから前記相手ユーザあるいは相手通信端末への呼接続要求あるいはセッション接続要求を受信することを特徴とする請求項７に記載の通信制御装置。
【請求項９】
前記通信制御装置は、前記相手ユーザあるいは相手通信端末への呼接続要求あるいはセッション接続要求に対する応答メッセージを受信した後に、前記発呼端末リストで指定された通信端末それぞれへ応答メッセージを分離して送信する手段と、
前記発呼端末リストに含まれる通信端末への応答に対する確認を前記発呼端末リストに含まれるすべての通信端末から受信した際に、前記相手ユーザあるいは相手通信端末からの応答に対する確認を送出する手段と、
を有することを特徴とする請求項７に記載の通信制御装置。
【請求項１０】
移動通信ネットワークにおける通信端末間の接続を制御する通信制御装置であって、
前記移動通信ネットワークに接続可能な通信端末が他の通信端末とともに構成するグループを特定するための一つまたは複数の公開識別情報を管理する手段と、
前記グループを構成する複数の通信端末と相手ユーザあるいは相手通信端末との間のセッション確立のためにアプリケーションデータの中継を行なう手段と、
前記グループを構成する第１の通信端末から、前記相手ユーザあるいは相手通信端末と前記グループを構成する複数の通信端末に対する呼接続要求あるいはセッション接続要求を送信するように要求する発呼指示情報を受信し、前記グループを構成する複数の通信端末へ呼接続要求あるいはセッション接続要求を送信する手段と、
前記相手ユーザあるいは相手通信端末に対し、前記グループを構成する複数の通信端末への呼接続要求あるいはセッション接続要求のそれぞれに含まれるセッション種別情報を多重したセッション種別情報を含む呼接続要求あるいはセッション接続要求を送信する手段と、
を有することを特徴とする通信制御装置。
【請求項１１】
前記通信制御装置は、前記グループを構成する複数の通信端末への呼接続要求あるいはセッション接続要求を、前記第１の通信端末へ応答メッセージを送信し且つ前記第１の通信端末からの確認メッセージを受信した後に送信することを特徴とする請求項１０に記載の通信制御装置。
【請求項１２】
前記第１の通信端末からの発呼指示情報は、前記第１の通信端末から前記相手ユーザあるいは相手通信端末に対する呼接続要求あるいはセッション接続要求とともに送信され、
前記通信制御装置は、前記グループを構成する複数の通信端末それぞれへ呼接続要求あるいはセッション接続要求を送信し、前記第１の通信端末からの呼接続要求あるいはセッション接続要求を前記相手ユーザあるいは相手通信端末へ転送する手段を有することを特徴とする請求項１０に記載の通信制御装置。
【請求項１３】
前記発呼指示情報は、セッション確立のリクエストの宛先である相手ユーザもしくは相手通信端末を接続先として特定するための情報である公開識別子とそれぞれの通信端末にどのような種別、属性のセッションを割り当てるかを示す情報を含む宛先端末リストと、セッション確立のリクエストを送信する通信制御装置を特定するための情報である公開識別子からなる発呼端末リストとで構成され、
前記通信制御装置は、前記宛先端末リストが指定するそれぞれの公開識別子へ発呼指示情報を分割して送信する手段と、
前記グループを構成する複数の通信端末への呼接続要求あるいはセッション接続要求を、前記相手ユーザあるいは相手通信端末への呼接続要求あるいはセッション接続要求のセッション種別を前記発呼端末リストに含まれる通信端末のそれぞれへ分割するように構成する手段と、
を有することを特徴とする請求項１０に記載の通信制御装置。
【請求項１４】
前記通信制御装置は、前記グループに対する制御論理を管理する手段と、
前記宛先端末リストに前記グループを指定する公開識別子が指定される場合、前記制御論理から、呼接続要求あるいはセッション接続要求を送信する通信端末を選択する手段と、
を有することを特徴とする請求項１３に記載の通信制御装置。
【請求項１５】
前記通信制御装置は、前記グループを構成する複数の通信端末への呼接続要求あるいはセッション接続要求に対する応答メッセージをすべて受信した後に、前記相手ユーザあるいは相手通信端末への呼接続要求あるいはセッション接続要求を送信する手段と、
前記相手ユーザあるいは相手通信端末から、前記相手ユーザあるいは相手通信端末への呼接続要求あるいはセッション接続要求に対する応答メッセージを受信した際に、前記発呼端末リストに含まれる通信端末のそれぞれに確認メッセージを送出する手段と、
を有することを特徴とする請求項１３に記載の通信制御装置。
【請求項１６】
移動通信ネットワークにおける通信端末間の接続を制御する通信制御装置の通信制御方法であって、
前記移動通信ネットワークに接続可能な通信端末が他の通信端末とともに構成するグループを特定するための一つまたは複数の公開識別情報を管理して有し、
前記グループを構成する第１の通信端末から、相手ユーザあるいは相手通信端末に対する呼接続要求あるいはセッション接続要求を送信するように要求する発呼指示情報を受信し、該受信した発呼指示情報を前記グループを構成する複数の通信端末それぞれへの発呼指示情報に分割して送信することを特徴とする通信制御方法。
【請求項１７】
前記通信制御装置が、前記グループを構成する複数の通信端末それぞれへの発呼指示情報を、前記第１の通信端末へ応答メッセージを送信し且つ前記第１の通信端末から確認メッセージを受信した後に送信することを特徴とする請求項１６に記載の通信制御方法。
【請求項１８】
前記第１の通信端末からの発呼指示情報は、前記第１の通信端末から前記相手ユーザあるいは相手通信端末に対する呼接続要求あるいはセッション接続要求とともに送信され、
前記通信制御装置が、前記グループを構成する複数の通信端末それぞれへ発呼指示情報を送信し、前記第１の通信端末からの呼接続要求あるいはセッション接続要求を前記相手ユーザあるいは相手通信端末へ転送することを特徴とする請求項１６に記載の通信制御方法。
【請求項１９】
前記発呼指示情報は、セッション確立のリクエストの宛先である相手ユーザもしくは相手通信端末を接続先として特定するための情報である公開識別子からなる宛先端末リストと、セッション確立のリクエストを送信する通信端末を特定するための情報である公開識別子とそれぞれの通信端末にどのような種別、属性のセッションを割り当てるかを示す情報を含む発呼端末リストとで構成され、
前記通信制御装置が、前記発呼端末リストが指定するそれぞれの公開識別子へ発呼指示情報を分割して送信することを特徴とする請求項１６に記載の通信制御方法。
【請求項２０】
前記通信制御装置が、前記グループに対する制御論理を管理して有し、
前記発呼端末リストに前記グループを指定する公開識別子が指定される場合、前記制御論理から、発呼指示情報を送信する通信端末を選択することを特徴とする請求項１９に記載の通信制御方法。
【請求項２１】
移動通信ネットワークにおける通信端末間の接続を制御する通信制御装置の通信制御方法であって、
前記移動通信ネットワークに接続可能な通信端末が他の通信端末とともに構成するグループを特定するための一つまたは複数の公開識別情報を管理して有し、
前記グループを構成する複数の通信端末と相手ユーザあるいは相手通信端末との間のセッション確立のためにアプリケーションデータの中継を行い、
前記グループを構成する複数の通信端末から、前記相手ユーザあるいは相手通信端末への呼接続要求あるいはセッション接続要求を受信し、前記相手ユーザあるいは相手通信端末に対し、前記複数の通信端末から前記相手ユーザあるいは相手通信端末への呼接続要求あるいはセッション接続要求のそれぞれに含まれるセッション種別情報を統合したセッション種別情報を含む呼接続要求あるいはセッション接続要求を送信することを特徴とする通信制御方法。
【請求項２２】
前記相手ユーザあるいは相手通信端末への呼接続要求あるいはセッション接続要求は、セッション確立のリクエストを送信する通信端末を特定するための情報である公開識別子とそれぞれの通信端末にどのような種別、属性のセッションを割り当てるかを示す情報を含む発呼端末リストと、該発呼端末リストで指定された複数の通信端末からセッション確立のリクエストが同時に送信されることを示すセッション結合指示情報とを含み、
前記通信制御装置が、前記セッション結合指示情報に基づき、前記相手ユーザあるいは相手通信端末への呼接続要求あるいはセッション接続要求のそれぞれに含まれるセッション種別情報を統合したセッション種別情報を送信することを特徴とする請求項２１に記載の通信制御方法。
【請求項２３】
前記通信制御装置が、前記グループを構成する第１の通信端末からセッション結合指示情報を受信し、前記第１の通信端末へ応答メッセージを送信し且つ前記第１の通信端末から確認メッセージを受信した後に、前記グループを構成する複数の通信端末それぞれから前記相手ユーザあるいは相手通信端末への呼接続要求あるいはセッション接続要求を受信することを特徴とする請求項２２に記載の通信制御方法。
【請求項２４】
前記通信制御装置が、前記相手ユーザあるいは相手通信端末への呼接続要求あるいはセッション接続要求に対する応答メッセージを受信した後に、前記発呼端末リストで指定された通信端末それぞれへ応答メッセージを分離して送信し、
前記発呼端末リストに含まれる通信端末への応答に対する確認を前記発呼端末リストに含まれるすべての通信端末から受信した際に、前記相手ユーザあるいは相手通信端末からの応答に対する確認を送出することを特徴とする請求項２２に記載の通信制御方法。
【請求項２５】
移動通信ネットワークにおける通信端末間の接続を制御する通信制御装置の通信制御方法であって、
前記移動通信ネットワークに接続可能な通信端末が他の通信端末とともに構成するグループを特定するための一つまたは複数の公開識別情報を管理して有し、
前記グループを構成する複数の通信端末と相手ユーザあるいは相手通信端末との間のセッション確立のためにアプリケーションデータの中継を行い、
前記グループを構成する第１の通信端末から、前記相手ユーザあるいは相手通信端末と前記グループを構成する複数の通信端末に対する呼接続要求あるいはセッション接続要求を送信するように要求する発呼指示情報を受信し、前記グループを構成する複数の通信端末へ呼接続要求あるいはセッション接続要求を送信し、
前記相手ユーザあるいは相手通信端末に対し、前記グループを構成する複数の通信端末への呼接続要求あるいはセッション接続要求のそれぞれに含まれるセッション種別情報を多重したセッション種別情報を含む呼接続要求あるいはセッション接続要求を送信することを特徴とする通信制御方法。
【請求項２６】
前記通信制御装置が、前記グループを構成する複数の通信端末への呼接続要求あるいはセッション接続要求を、前記第１の通信端末へ応答メッセージを送信し且つ前記第１の通信端末から確認メッセージを受信した後に送信することを特徴とする請求項２５に記載の通信制御方法。
【請求項２７】
前記第１の通信端末からの発呼指示情報は、前記第１の通信端末から前記相手ユーザあるいは相手通信端末に対する呼接続要求あるいはセッション接続要求とともに送信され、
前記通信制御装置が、前記グループを構成する複数の通信端末それぞれへ呼接続要求あるいはセッション接続要求を送信し、前記第１の通信端末からの呼接続要求あるいはセッション接続要求を前記相手ユーザあるいは相手通信端末へ転送することを特徴とする請求項２５に記載の通信制御方法。
【請求項２８】
前記発呼指示情報は、セッション確立のリクエストの宛先である相手ユーザもしくは相手通信端末を接続先として特定するための情報である公開識別子とそれぞれの通信端末にどのような種別、属性のセッションを割り当てるかを示す情報を含む宛先端末リストと、セッション確立のリクエストを送信する通信制御装置を特定するための情報である公開識別子からなる発呼端末リストとで構成され、
前記通信制御装置が、前記宛先端末リストが指定するそれぞれの公開識別子へ発呼指示情報を分割して送信し、
前記グループを構成する複数の通信端末への呼接続要求あるいはセッション接続要求を、前記相手ユーザあるいは相手通信端末への呼接続要求あるいはセッション接続要求のセッション種別を前記発呼端末リストに含まれる通信端末のそれぞれへ分割するように構成することを特徴とする請求項２５に記載の通信制御方法。
【請求項２９】
前記通信制御装置が、前記グループに対する制御論理を管理して有し、
前記宛先端末リストに前記グループを指定する公開識別子が指定される場合、前記制御論理から、呼接続要求あるいはセッション接続要求を送信する通信端末を選択することを特徴とする請求項２８に記載の通信制御方法。
【請求項３０】
前記通信制御装置が、前記グループを構成する複数の通信端末への呼接続要求あるいはセッション接続要求に対する応答メッセージをすべて受信した後に、前記相手ユーザあるいは相手通信端末への呼接続要求あるいはセッション接続要求を送信し、
前記相手ユーザあるいは相手通信端末から、前記相手ユーザあるいは相手通信端末への呼接続要求あるいはセッション接続要求に対する応答メッセージを受信した際に、前記発呼端末リストに含まれる通信端末のそれぞれに確認メッセージを送出することを特徴とする請求項２８に記載の通信制御方法。
【手続補正２】
【補正対象書類名】明細書
【補正対象項目名】００３５
【補正方法】削除
【補正の内容】
【手続補正３】
【補正対象書類名】明細書
【補正対象項目名】００３６
【補正方法】変更
【補正の内容】
【００３６】
第１の技術手段は、移動通信ネットワークにおける通信端末間の接続を制御する通信制御装置であって、前記移動通信ネットワークに接続可能な通信端末が他の通信端末とともに構成するグループを特定するための一つまたは複数の公開識別情報を管理する手段と、前記グループを構成する第１の通信端末から、相手ユーザあるいは相手通信端末に対する呼接続要求あるいはセッション接続要求を送信するように要求する発呼指示情報を受信し、該受信した発呼指示情報を前記グループを構成する複数の通信端末それぞれへの発呼指示情報に分割して送信する手段と、を有することを特徴としたものである。
【手続補正４】
【補正対象書類名】明細書
【補正対象項目名】００３７
【補正方法】変更
【補正の内容】
【００３７】
第２の技術手段は、第１の技術手段において、前記通信制御装置は、前記グループを構成する複数の通信端末それぞれへの発呼指示情報を、前記第１の通信端末へ応答メッセージを送信し且つ前記第１の通信端末からの確認メッセージを受信した後に送信することを特徴としたものである。
【手続補正５】
【補正対象書類名】明細書
【補正対象項目名】００３８
【補正方法】変更
【補正の内容】
【００３８】
第３の技術手段は、第１の技術手段において、前記第１の通信端末からの発呼指示情報は、前記第１の通信端末から前記相手ユーザあるいは相手通信端末に対する呼接続要求あるいはセッション接続要求とともに送信され、前記通信制御装置は、前記グループを構成する複数の通信端末それぞれへ発呼指示情報を送信し、前記第１の通信端末からの呼接続要求あるいはセッション接続要求を前記相手ユーザあるいは相手通信端末へ転送する手段を有することを特徴としたものである。
【手続補正６】
【補正対象書類名】明細書
【補正対象項目名】００３９
【補正方法】変更
【補正の内容】
【００３９】
第４の技術手段は、第１の技術手段において、前記発呼指示情報は、セッション確立のリクエストの宛先である相手ユーザもしくは相手通信端末を接続先として特定するための情報である公開識別子からなる宛先端末リストと、セッション確立のリクエストを送信する通信端末を特定するための情報である公開識別子とそれぞれの通信端末にどのような種別、属性のセッションを割り当てるかを示す情報を含む発呼端末リストとで構成され、前記通信制御装置は、前記発呼端末リストが指定するそれぞれの公開識別子へ発呼指示情報を分割して送信する手段を有することを特徴としたものである。
【手続補正７】
【補正対象書類名】明細書
【補正対象項目名】００４０
【補正方法】変更
【補正の内容】
【００４０】
第５の技術手段は、第４の技術手段において、前記通信制御装置は、前記グループに対する制御論理を管理する手段と、前記発呼端末リストに前記グループを指定する公開識別子が指定される場合、前記制御論理から、発呼指示情報を送信する通信端末を選択する手段と、を有することを特徴としたものである。
【手続補正８】
【補正対象書類名】明細書
【補正対象項目名】００４１
【補正方法】変更
【補正の内容】
【００４１】
第６の技術手段は、移動通信ネットワークにおける通信端末間の接続を制御する通信制御装置であって、前記移動通信ネットワークに接続可能な通信端末が他の通信端末とともに構成するグループを特定するための一つまたは複数の公開識別情報を管理する手段と、前記グループを構成する複数の通信端末と相手ユーザあるいは相手通信端末との間のセッション確立のためにアプリケーションデータの中継を行なう手段と、前記グループを構成する複数の通信端末から、前記相手ユーザあるいは相手通信端末への呼接続要求あるいはセッション接続要求を受信し、前記相手ユーザあるいは相手通信端末に対し、前記複数の通信端末から前記相手ユーザあるいは相手通信端末への呼接続要求あるいはセッション接続要求のそれぞれに含まれるセッション種別情報を統合したセッション種別情報を含む呼接続要求あるいはセッション接続要求を送信する手段と、を有することを特徴としたものである。
【手続補正９】
【補正対象書類名】明細書
【補正対象項目名】００４２
【補正方法】変更
【補正の内容】
【００４２】
第７の技術手段は、第６の技術手段において、前記相手ユーザあるいは相手通信端末への呼接続要求あるいはセッション接続要求は、セッション確立のリクエストを送信する通信端末を特定するための情報である公開識別子とそれぞれの通信端末にどのような種別、属性のセッションを割り当てるかを示す情報を含む発呼端末リストと、該発呼端末リストで指定された複数の通信端末からセッション確立のリクエストが同時に送信されることを示すセッション結合指示情報とを含み、前記通信制御装置は、前記セッション結合指示情報に基づき、前記相手ユーザあるいは相手通信端末への呼接続要求あるいはセッション接続要求のそれぞれに含まれるセッション種別情報を統合したセッション種別情報を送信する手段を有することを特徴としたものである。
【手続補正１０】
【補正対象書類名】明細書
【補正対象項目名】００４３
【補正方法】変更
【補正の内容】
【００４３】
第８の技術手段は、第７の技術手段において、前記通信制御装置は、前記グループを構成する第１の通信端末からセッション結合指示情報を受信し、前記第１の通信端末へ応答メッセージを送信し且つ前記第１の通信端末から確認メッセージを受信した後に、前記グループを構成する複数の通信端末それぞれから前記相手ユーザあるいは相手通信端末への呼接続要求あるいはセッション接続要求を受信することを特徴としたものである。
【手続補正１１】
【補正対象書類名】明細書
【補正対象項目名】００４４
【補正方法】変更
【補正の内容】
【００４４】
第９の技術手段は、第７の技術手段において、前記通信制御装置は、前記相手ユーザあるいは相手通信端末への呼接続要求あるいはセッション接続要求に対する応答メッセージを受信した後に、前記発呼端末リストで指定された通信端末それぞれへ応答メッセージを分離して送信する手段と、前記発呼端末リストに含まれる通信端末への応答に対する確認を前記発呼端末リストに含まれるすべての通信端末から受信した際に、前記相手ユーザあるいは相手通信端末からの応答に対する確認を送出する手段と、を有することを特徴としたものである。
【手続補正１２】
【補正対象書類名】明細書
【補正対象項目名】００４５
【補正方法】変更
【補正の内容】
【００４５】
第１０の技術手段は、移動通信ネットワークにおける通信端末間の接続を制御する通信制御装置であって、前記移動通信ネットワークに接続可能な通信端末が他の通信端末とともに構成するグループを特定するための一つまたは複数の公開識別情報を管理する手段と、前記グループを構成する複数の通信端末と相手ユーザあるいは相手通信端末との間のセッション確立のためにアプリケーションデータの中継を行なう手段と、前記グループを構成する第１の通信端末から、前記相手ユーザあるいは相手通信端末と前記グループを構成する複数の通信端末に対する呼接続要求あるいはセッション接続要求を送信するように要求する発呼指示情報を受信し、前記グループを構成する複数の通信端末へ呼接続要求あるいはセッション接続要求を送信する手段と、前記相手ユーザあるいは相手通信端末に対し、前記グループを構成する複数の通信端末への呼接続要求あるいはセッション接続要求のそれぞれに含まれるセッション種別情報を多重したセッション種別情報を含む呼接続要求あるいはセッション接続要求を送信する手段と、を有することを特徴としたものである。
【手続補正１３】
【補正対象書類名】明細書
【補正対象項目名】００４６
【補正方法】変更
【補正の内容】
【００４６】
第１１の技術手段は、第１０の技術手段において、前記通信制御装置は、前記グループを構成する複数の通信端末への呼接続要求あるいはセッション接続要求を、前記第１の通信端末へ応答メッセージを送信し且つ前記第１の通信端末からの確認メッセージを受信した後に送信することを特徴としたものである。
【手続補正１４】
【補正対象書類名】明細書
【補正対象項目名】００４７
【補正方法】変更
【補正の内容】
【００４７】
第１２の技術手段は、第１０の技術手段において、前記第１の通信端末からの発呼指示情報は、前記第１の通信端末から前記相手ユーザあるいは相手通信端末に対する呼接続要求あるいはセッション接続要求とともに送信され、前記通信制御装置は、前記グループを構成する複数の通信端末それぞれへ呼接続要求あるいはセッション接続要求を送信し、前記第１の通信端末からの呼接続要求あるいはセッション接続要求を前記相手ユーザあるいは相手通信端末へ転送する手段を有することを特徴としたものである。
【手続補正１５】
【補正対象書類名】明細書
【補正対象項目名】００４８
【補正方法】変更
【補正の内容】
【００４８】
第１３の技術手段は、第１０の技術手段において、前記発呼指示情報は、セッション確立のリクエストの宛先である相手ユーザもしくは相手通信端末を接続先として特定するための情報である公開識別子とそれぞれの通信端末にどのような種別、属性のセッションを割り当てるかを示す情報を含む宛先端末リストと、セッション確立のリクエストを送信する通信制御装置を特定するための情報である公開識別子からなる発呼端末リストとで構成され、前記通信制御装置は、前記宛先端末リストが指定するそれぞれの公開識別子へ発呼指示情報を分割して送信する手段と、前記グループを構成する複数の通信端末への呼接続要求あるいはセッション接続要求を、前記相手ユーザあるいは相手通信端末への呼接続要求あるいはセッション接続要求のセッション種別を前記発呼端末リストに含まれる通信端末のそれぞれへ分割するように構成する手段と、を有することを特徴としたものである。
【手続補正１６】
【補正対象書類名】明細書
【補正対象項目名】００４９
【補正方法】変更
【補正の内容】
【００４９】
第１４の技術手段は、第１３の技術手段において、前記通信制御装置は、前記グループに対する制御論理を管理する手段と、前記宛先端末リストに前記グループを指定する公開識別子が指定される場合、前記制御論理から、呼接続要求あるいはセッション接続要求を送信する通信端末を選択する手段と、を有することを特徴としたものである。
【手続補正１７】
【補正対象書類名】明細書
【補正対象項目名】００５０
【補正方法】変更
【補正の内容】
【００５０】
第１５の技術手段は、第１３の技術手段において、前記通信制御装置は、前記グループを構成する複数の通信端末への呼接続要求あるいはセッション接続要求に対する応答メッセージをすべて受信した後に、前記相手ユーザあるいは相手通信端末への呼接続要求あるいはセッション接続要求を送信する手段と、前記相手ユーザあるいは相手通信端末から、前記相手ユーザあるいは相手通信端末への呼接続要求あるいはセッション接続要求に対する応答メッセージを受信した際に、前記発呼端末リストに含まれる通信端末のそれぞれに確認メッセージを送出する手段と、を有することを特徴としたものである。
【手続補正１８】
【補正対象書類名】明細書
【補正対象項目名】００５１
【補正方法】変更
【補正の内容】
【００５１】
第１６の技術手段は、移動通信ネットワークにおける通信端末間の接続を制御する通信制御装置の通信制御方法であって、前記移動通信ネットワークに接続可能な通信端末が他の通信端末とともに構成するグループを特定するための一つまたは複数の公開識別情報を管理して有し、前記グループを構成する第１の通信端末から、相手ユーザあるいは相手通信端末に対する呼接続要求あるいはセッション接続要求を送信するように要求する発呼指示情報を受信し、該受信した発呼指示情報を前記グループを構成する複数の通信端末それぞれへの発呼指示情報に分割して送信することを特徴としたものである。
【手続補正１９】
【補正対象書類名】明細書
【補正対象項目名】００５２
【補正方法】変更
【補正の内容】
【００５２】
第１７の技術手段は、第１６の技術手段において、前記通信制御装置が、前記グループを構成する複数の通信端末それぞれへの発呼指示情報を、前記第１の通信端末へ応答メッセージを送信し且つ前記第１の通信端末から確認メッセージを受信した後に送信することを特徴としたものである。
【手続補正２０】
【補正対象書類名】明細書
【補正対象項目名】００５３
【補正方法】変更
【補正の内容】
【００５３】
第１８の技術手段は、第１６の技術手段において、前記第１の通信端末からの発呼指示情報は、前記第１の通信端末から前記相手ユーザあるいは相手通信端末に対する呼接続要求あるいはセッション接続要求とともに送信され、前記通信制御装置が、前記グループを構成する複数の通信端末それぞれへ発呼指示情報を送信し、前記第１の通信端末からの呼接続要求あるいはセッション接続要求を前記相手ユーザあるいは相手通信端末へ転送することを特徴としたものである。
【手続補正２１】
【補正対象書類名】明細書
【補正対象項目名】００５４
【補正方法】変更
【補正の内容】
【００５４】
第１９の技術手段は、第１６の技術手段において、前記発呼指示情報は、セッション確立のリクエストの宛先である相手ユーザもしくは相手通信端末を接続先として特定するための情報である公開識別子からなる宛先端末リストと、セッション確立のリクエストを送信する通信端末を特定するための情報である公開識別子とそれぞれの通信端末にどのような種別、属性のセッションを割り当てるかを示す情報を含む発呼端末リストとで構成され、前記通信制御装置が、前記発呼端末リストが指定するそれぞれの公開識別子へ発呼指示情報を分割して送信することを特徴としたものである。
【手続補正２２】
【補正対象書類名】明細書
【補正対象項目名】００５５
【補正方法】変更
【補正の内容】
【００５５】
第２０の技術手段は、第１９の技術手段において、前記通信制御装置が、前記グループに対する制御論理を管理して有し、前記発呼端末リストに前記グループを指定する公開識別子が指定される場合、前記制御論理から、発呼指示情報を送信する通信端末を選択することを特徴としたものである。
【手続補正２３】
【補正対象書類名】明細書
【補正対象項目名】００５６
【補正方法】変更
【補正の内容】
【００５６】
第２１の技術手段は、移動通信ネットワークにおける通信端末間の接続を制御する通信制御装置の通信制御方法であって、前記移動通信ネットワークに接続可能な通信端末が他の通信端末とともに構成するグループを特定するための一つまたは複数の公開識別情報を管理して有し、前記グループを構成する複数の通信端末と相手ユーザあるいは相手通信端末との間のセッション確立のためにアプリケーションデータの中継を行い、前記グループを構成する複数の通信端末から、前記相手ユーザあるいは相手通信端末への呼接続要求あるいはセッション接続要求を受信し、前記相手ユーザあるいは相手通信端末に対し、前記複数の通信端末から前記相手ユーザあるいは相手通信端末への呼接続要求あるいはセッション接続要求のそれぞれに含まれるセッション種別情報を統合したセッション種別情報を含む呼接続要求あるいはセッション接続要求を送信することを特徴としたものである。
【手続補正２４】
【補正対象書類名】明細書
【補正対象項目名】００５７
【補正方法】変更
【補正の内容】
【００５７】
第２２の技術手段は、第２１の技術手段において、前記相手ユーザあるいは相手通信端末への呼接続要求あるいはセッション接続要求は、セッション確立のリクエストを送信する通信端末を特定するための情報である公開識別子とそれぞれの通信端末にどのような種別、属性のセッションを割り当てるかを示す情報を含む発呼端末リストと、該発呼端末リストで指定された複数の通信端末からセッション確立のリクエストが同時に送信されることを示すセッション結合指示情報とを含み、前記通信制御装置が、前記セッション結合指示情報に基づき、前記相手ユーザあるいは相手通信端末への呼接続要求あるいはセッション接続要求のそれぞれに含まれるセッション種別情報を統合したセッション種別情報を送信することを特徴としたものである。
【手続補正２５】
【補正対象書類名】明細書
【補正対象項目名】００５８
【補正方法】変更
【補正の内容】
【００５８】
第２３の技術手段は、第２２の技術手段において、前記通信制御装置が、前記グループを構成する第１の通信端末からセッション結合指示情報を受信し、前記第１の通信端末へ応答メッセージを送信し且つ前記第１の通信端末から確認メッセージを受信した後に、前記グループを構成する複数の通信端末それぞれから前記相手ユーザあるいは相手通信端末への呼接続要求あるいはセッション接続要求を受信することを特徴としたものである。
【手続補正２６】
【補正対象書類名】明細書
【補正対象項目名】００５９
【補正方法】変更
【補正の内容】
【００５９】
第２４の技術手段は、第２２の技術手段において、前記通信制御装置が、前記相手ユーザあるいは相手通信端末への呼接続要求あるいはセッション接続要求に対する応答メッセージを受信した後に、前記発呼端末リストで指定された通信端末それぞれへ応答メッセージを分離して送信し、前記発呼端末リストに含まれる通信端末への応答に対する確認を前記発呼端末リストに含まれるすべての通信端末から受信した際に、前記相手ユーザあるいは相手通信端末からの応答に対する確認を送出することを特徴としたものである。
【手続補正２７】
【補正対象書類名】明細書
【補正対象項目名】００６０
【補正方法】変更
【補正の内容】
【００６０】
第２５の技術手段は、移動通信ネットワークにおける通信端末間の接続を制御する通信制御装置の通信制御方法であって、前記移動通信ネットワークに接続可能な通信端末が他の通信端末とともに構成するグループを特定するための一つまたは複数の公開識別情報を管理して有し、前記グループを構成する複数の通信端末と相手ユーザあるいは相手通信端末との間のセッション確立のためにアプリケーションデータの中継を行い、前記グループを構成する第１の通信端末から、前記相手ユーザあるいは相手通信端末と前記グループを構成する複数の通信端末に対する呼接続要求あるいはセッション接続要求を送信するように要求する発呼指示情報を受信し、前記グループを構成する複数の通信端末へ呼接続要求あるいはセッション接続要求を送信し、前記相手ユーザあるいは相手通信端末に対し、前記グループを構成する複数の通信端末への呼接続要求あるいはセッション接続要求のそれぞれに含まれるセッション種別情報を多重したセッション種別情報を含む呼接続要求あるいはセッション接続要求を送信することを特徴としたものである。
【手続補正２８】
【補正対象書類名】明細書
【補正対象項目名】００６１
【補正方法】変更
【補正の内容】
【００６１】
第２６の技術手段は、第２５の技術手段において、前記通信制御装置が、前記グループを構成する複数の通信端末への呼接続要求あるいはセッション接続要求を、前記第１の通信端末へ応答メッセージを送信し且つ前記第１の通信端末から確認メッセージを受信した後に送信することを特徴としたものである。
【手続補正２９】
【補正対象書類名】明細書
【補正対象項目名】００６２
【補正方法】変更
【補正の内容】
【００６２】
第２７の技術手段は、第２５の技術手段において、前記第１の通信端末からの発呼指示情報は、前記第１の通信端末から前記相手ユーザあるいは相手通信端末に対する呼接続要求あるいはセッション接続要求とともに送信され、前記通信制御装置が、前記グループを構成する複数の通信端末それぞれへ呼接続要求あるいはセッション接続要求を送信し、前記第１の通信端末からの呼接続要求あるいはセッション接続要求を前記相手ユーザあるいは相手通信端末へ転送することを特徴としたものである。
【手続補正３０】
【補正対象書類名】明細書
【補正対象項目名】００６３
【補正方法】変更
【補正の内容】
【００６３】
第２８の技術手段は、第２５の技術手段において、前記発呼指示情報は、セッション確立のリクエストの宛先である相手ユーザもしくは相手通信端末を接続先として特定するための情報である公開識別子とそれぞれの通信端末にどのような種別、属性のセッションを割り当てるかを示す情報を含む宛先端末リストと、セッション確立のリクエストを送信する通信制御装置を特定するための情報である公開識別子からなる発呼端末リストとで構成され、前記通信制御装置が、前記宛先端末リストが指定するそれぞれの公開識別子へ発呼指示情報を分割して送信し、前記グループを構成する複数の通信端末への呼接続要求あるいはセッション接続要求を、前記相手ユーザあるいは相手通信端末への呼接続要求あるいはセッション接続要求のセッション種別を前記発呼端末リストに含まれる通信端末のそれぞれへ分割するように構成することを特徴としたものである。
【手続補正３１】
【補正対象書類名】明細書
【補正対象項目名】００６４
【補正方法】変更
【補正の内容】
【００６４】
第２９の技術手段は、第２８の技術手段において、前記通信制御装置が、前記グループに対する制御論理を管理して有し、前記宛先端末リストに前記グループを指定する公開識別子が指定される場合、前記制御論理から、呼接続要求あるいはセッション接続要求を送信する通信端末を選択することを特徴としたものである。
【手続補正３２】
【補正対象書類名】明細書
【補正対象項目名】００６５
【補正方法】変更
【補正の内容】
【００６５】
第３０の技術手段は、第２８の技術手段において、前記通信制御装置が、前記グループを構成する複数の通信端末への呼接続要求あるいはセッション接続要求に対する応答メッセージをすべて受信した後に、前記相手ユーザあるいは相手通信端末への呼接続要求あるいはセッション接続要求を送信し、前記相手ユーザあるいは相手通信端末から、前記相手ユーザあるいは相手通信端末への呼接続要求あるいはセッション接続要求に対する応答メッセージを受信した際に、前記発呼端末リストに含まれる通信端末のそれぞれに確認メッセージを送出することを特徴としたものである。